(57)【要約】  ＰＰＩ（ｐｏｗｅｒ  ｐｒｅｆｅｒｅｎｃｅ  ｉｎｄｉｃａｔｉｏｎ）メッセージを通信する技術を説明する。ユーザ装置（ＵＥ）はｅＮＢ（ｅｖｏｌｖｅｄ  ｎｏｄｅ  Ｂ）からＰＰＩ設定情報を受信する。ＰＰＩ設定情報は、確定された時間ウィンドウ中にＵＥがｅＮＢに通信できるＰＰＩメッセージの数に対する所定閾値を含む。ＵＥは、確定された時間ウィンドウ中にｅＮＢに低消費電力設定を送信した後、複数のＰＰＩメッセージを送信できる。複数のＰＰＩメッセージは、それぞれ好ましい消費電力設定における変更を示す。ＵＥは、さらに、複数のＰＰＩメッセージが、ＰＰＩ設定情報で確定された確定時間ウィンドウ中にＵＥがｅＮＢに送信できるＰＰＩメッセージの数の所定閾値を超えたことを検知できる。ＵＥは、複数のＰＰＩメッセージが所定閾値を超えたのに応じて、閾値タイマーを作動させ、その閾値タイマーが満了するまで、追加的なＰＰＩメッセージがｅＮＢに通信されるのを制限するように構成されていてもよい。
2015527015.tif 000002
【特許請求の範囲】
【請求項１】
ＰＰＩ（ｐｏｗｅｒ  ｐｒｅｆｅｒｅｎｃｅ  ｉｎｄｉｃａｔｉｏｎ）測定値を送信するように動作可能なユーザ装置（ＵＥ）であって、前記ＵＥはコンピュータ回路を有し、前記コンピュータ回路は、
ｅＮＢ（ｅｖｏｌｖｅｄ  ｎｏｄｅ  Ｂ）からＰＰＩ設定情報を受信する、前記ＰＰＩ設定情報は、低電力消費設定を示した後、確定された時間ウィンドウ中に前記ＵＥが前記ｅＮＢに通信できるＰＰＩメッセージの数に対する所定閾値を含み、
前記確定された時間ウィンドウ中に前記ｅＮＢに前記低消費電力設定を示した後、複数のＰＰＩメッセージを送信し、前記複数のＰＰＩメッセージは、それぞれ好ましい消費電力設定における変更を示し、
前記複数のＰＰＩメッセージが、前記ＰＰＩ設定情報で確定された前記確定時間ウィンドウ中に前記ＵＥが前記ｅＮＢに送信できるＰＰＩメッセージの数の前記所定閾値を超えたことを検知し、
前記複数のＰＰＩメッセージが前記所定閾値を超えたのに応じて、閾値タイマーを作動させ、前記閾値タイマーが満了するまで、追加的なＰＰＩメッセージが前記ｅＮＢに通信されるのを制限する、
ユーザ装置。
【請求項２】
前記ＰＰＩ設定情報は、前記所定閾値と前記確定時間ウィンドウに関連する時間ウィンドウサイズを含み、前記時間ウィンドウサイズは前記所定閾値かける前記閾値タイマーの長さである、
請求項２に記載のコンピュータ回路。
【請求項３】
前記ＵＥにおいて、前記ｅＮＢからＲＲＣ（ｒａｄｉｏ  ｒｅｓｏｕｒｃｅ  ｃｏｎｔｒｏｌ）設定確立メッセージに含まれたＰＰＩ設定情報要素（ＩＥ）中の前記ＰＰＩ設定情報を受信するようにさらに構成されている、
請求項１に記載のコンピュータ回路。
【請求項４】
前記複数のＰＰＩメッセージが前記確定時間ウィンドウ中の前記所定閾値を超えないとき、追加的メッセージが前記ｅＮＢに送信されることを制限されないことを判断するようにさらに構成されている、
請求項１に記載のコンピュータ回路。
【請求項５】
前記閾値タイマーはＴ３４０禁止タイマーである、
請求項１に記載のコンピュータ回路。
【請求項６】
前記ＵＥが遅延敏感アプリケーションの初期化を検出したのに応じて、前記ｅＮＢに、デフォルト消費電力設定を示す前記ＰＰＩメッセージを送信するようにさらに構成されている、
請求項１に記載のコンピュータ回路。
【請求項７】
前記閾値タイマーが満了した後に、前記閾値タイマーの満了が前記所定閾値を超えた後に前記複数のＰＰＩメッセージが送信された時、前記閾値タイマーを再初期化するようにさらに構成されている、
請求項１に記載のコンピュータ回路。
【請求項８】
デフォルト消費電力設定を示すＰＰＩメッセージを前記ｅＮＢに送信したのに応じて、前記閾値タイマーを初期化するようにさらに構成されている、
請求項１に記載のコンピュータ回路。
【請求項９】
前記ＵＥは、アンテナ、タッチ感知ディスプレイスクリーン、スピーカ、マイクロホン、グラフィックスプロセッサ、アプリケーションプロセッサ、内部メモリ、または不揮発性メモリポートを含む、
請求項１に記載のコンピュータ回路。
【請求項１０】
ＰＰＩ（ｐｏｗｅｒ  ｐｒｅｆｅｒｅｎｃｅ  ｉｎｄｉｃａｔｉｏｎ）メッセージを通信する方法であって、
ノードからユーザ装置（ＵＥ）にＰＰＩ設定情報を送信するステップであって、ＰＰＩ設定情報は、ＵＥが低消費電力設定にある時に、確定時間ウィンドウ中にＵＥがノードに送信できるＰＰＩメッセージの数に対する所定閾値を含むステップと、
前記ＵＴから、低消費電力設定を示すＰＰＩメッセージの受信に続く確定時間ウィンドウ中に複数のＰＰＩメッセージを受信するステップであって、複数のＰＰＩメッセージは、それぞれ好ましい消費電力設定の変更を示すステップと、
ノードに送信された複数のＰＰＩメッセージが確定時間ウィンドウ中に所定閾値を超えたのをＵＥが検知したのに応じて、ＵＥにおける初期化された閾値タイマーの満了後に、ＵＥから追加的ＰＰＩメッセージを受信するステップとを有する方法。
【請求項１１】
所定閾値と確定時間ウィンドウに関連する時間ウィンドウサイズを含み、時間ウィンドウサイズは所定閾値かける閾値タイマーの長さである前記ＰＰＩ設定情報を前記ＵＥに通信するステップをさらに有する、
請求項１０に記載の方法。
【請求項１２】
前記ＵＥに、前記ノードからＲＲＣ（ｒａｄｉｏ  ｒｅｓｏｕｒｃｅ  ｃｏｎｔｒｏｌ）設定確立メッセージに含まれたＰＰＩ設定情報要素（ＩＥ）中のＰＰＩ設定情報を通信するステップをさらに有する、
請求項１１に記載の方法。
【請求項１３】
Ｔ３４０禁止タイマーの満了後、前記ＵＥから前記追加的ＰＰＩメッセージを受信するステップをさらに有する、
請求項１０に記載の方法。
【請求項１４】
ＵＥが遅延敏感アプリケーションの初期化を検知したのに応じて、ノードにおいて、デフォルト消費電力設定を示すＰＰＩメッセージを受信するステップを含む。
請求項１０に記載の方法。
【請求項１５】
ＵＥから、好ましい消費電力設定を示す複数のＰＰＩメッセージを受信するステップであって、好ましい消費電力設定の変更は、デフォルト消費電力設定と低消費電力設定とのうち一方を示すステップをさらに有する、
請求項１０に記載の方法。
【請求項１６】
前記ノードは、基地局（ＢＳ）、Ｎｏｄｅ  Ｂ（ＮＢ）、ｅｖｏｌｖｅｄ  Ｎｏｄｅ  Ｂ（ｅＮＢ）、ベースバンドユニット（ＢＢＵ）、リモートラジオヘッド（ＲＲＨ）、リモートラジオ装置（ＲＲＥ）、またはリモートラジオユニット（ＲＲＵ）よりなる群から選択される、
請求項１０に記載のコンピュータ回路。
【請求項１７】
ＰＰＩ（ｐｏｗｅｒ  ｐｒｅｆｅｒｅｎｃｅ  ｉｎｄｉｃａｔｉｏｎ）測定値を送信するように動作可能なユーザ装置（ＵＥ）であって、前記ＵＥはコンピュータ回路を有し、前記コンピュータ回路は、
ｅＮＢ（ｅｖｏｌｖｅｄ  ｎｏｄｅ  Ｂ）からＰＰＩ設定情報を受信するように構成され、ＰＰＩ設定情報は、ＵＥが低消費電力設定を示した後に確定された時間ウィンドウ中にｅＮＢに送信できるＰＰＩメッセージの数に対する所定閾値を含むＰＰＩ設定モジュールと、
前記確定された時間ウィンドウ中に前記ｅＮＢに前記低消費電力設定を送信した後、複数のＰＰＩメッセージを送信するように構成され、前記複数のＰＰＩメッセージは、それぞれ好ましい消費電力設定における変更を示す通信モジュールと、
前記複数のＰＰＩメッセージが、前記ＰＰＩ設定情報で確定された前記確定時間ウィンドウ中に前記ＵＥが前記ｅＮＢに送信できるＰＰＩメッセージの数の前記所定閾値を超えたことを検知するように構成された検知モジュールと、
前記複数のＰＰＩメッセージが前記所定閾値を超えたのに応じて、閾値タイマーを作動させ、前記閾値タイマーが満了するまで、追加的なＰＰＩメッセージが前記ｅＮＢに通信されるのを制限するように構成されたタイマーモジュールとを有する、コンピュータ回路。
【請求項１８】
前記ＰＰＩ設定モジュールは、前記ＵＥにおいて、前記ｅＮＢからＲＲＣ（ｒａｄｉｏ  ｒｅｓｏｕｒｃｅ  ｃｏｎｔｒｏｌ）設定確立メッセージに含まれたＰＰＩ設定情報要素（ＩＥ）中のＰＰＩ設定情報を受信するようにさらに構成されていてる、
請求項１７に記載のコンピュータ回路。
【請求項１９】
前記タイマーモジュールは、複数のＰＰＩメッセージが確定時間ウィンドウ中に所定閾値を超えないとき、追加的メッセージがｅＮＢに送信されることが制限されないことを判断するようにさらに構成されている、
請求項１７に記載のコンピュータ回路。
【請求項２０】
前記タイマーモジュールは、さらに、複数のＰＰＩメッセージが所定閾値を超えたのに応じて、Ｔ３４０禁止タイマーを初期化するようにさらに構成されている、
請求項１７に記載のコンピュータ回路。
【請求項２１】
前記通信モジュールは、ＵＥが遅延敏感アプリケーション（ｄｅｌａｙ  ｓｅｎｓｉｔｉｖｅ  ａｐｐｌｉｃａｔｉｏｎ）の初期化を検出したのに応じて、ｅＮＢに、デフォルト消費電力設定を示すＰＰＩメッセージを送信するようにさらに構成されている、
請求項１７に記載のコンピュータ回路。
【請求項２２】
前記タイマーモジュールは、さらに、閾値タイマーが満了した後に、閾値タイマーの満了が所定閾値を超えた後に複数のＰＰＩメッセージが送信された時、その閾値タイマーを再初期化するように構成されている、
請求項１７に記載のコンピュータ回路。
【請求項２３】
前記タイマーモジュールは、ＵＥがデフォルト消費電力設定を示すのに応じて、閾値タイマーを初期化するようにさらに構成されている、
請求項１７に記載のコンピュータ回路。
【発明の詳細な説明】
【技術分野】
【０００１】
一実施形態はユーザ装置とコンピュータ回路とＰＰＩメッセージの通信方法とに関する。
【背景技術】
【０００２】
無線移動通信技術は、様々な標準とプロトコルを用いて、ノード（例えば、伝送局）と無線デバイス（例えば、移動デバイス）との間でデータを伝送する。一部の無線デバイスは、ダウンリンク（ＤＬ）伝送において直交周波数分割多重アクセス（ＯＦＤＭＡ）を用いて伝え、アップリンク（ＵＬ）伝送において単一キャリア周波数分割多重アクセス（ＳＣ−ＦＤＭＡ）を用いて伝える。信号伝送に直交周波数分割多重（ＯＦＤＭ）を用いる標準及びプロトコルは、第３世代パートナーシッププロジェクト（３ＧＰＰ）ロングタームエボリューション（ＬＴＥ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６標準（例えば、８０２．１６ｅ、８０２．１６ｍ）（これはＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として一般的に知られた産業グループである）、ＩＥＥＥ８０２．１１標準（これはＷｉＦｉとして一般的に知られた産業グループである）を含む。
【０００３】
３ＧＰＰ無線アクセスネットワーク（ＲＡＮ）ＬＴＥシステムでは、ノードはＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ノートＢ（ｅｖｏｌｖｅｄ  Ｎｏｄｅ  Ｂ、ｅｎｈａｎｃｅｄ  Ｎｏｄｅ  Ｂ、ｅＮｏｄｅＢ、またはｅＮＢとしても一般的に記されている）とＲＮＣ（Ｒａｄｉｏ  Ｎｅｔｗｏｒｋ  Ｃｏｎｔｒｏｌｌｅｒ）（これは、ユーザ装置（ＵＥ）とし知られる無線デバイスと通信する）との組み合わせである。ダウンリンク（ＤＬ）伝送はノード（例えば、ｅＮｏｄｅＢ）から無線デバイス（例えば、ＵＥ）への通信であり、アップリンク（ＵＬ）伝送は無線デバイスからノードへの通信である。
［関連する出願］
本出願は、２０１２年９月２８日出願の米国仮特許出願第６１／７０７，７８４号（事件整理番号第Ｐ４９０８２Ｚ）の優先権を主張するものである。該出願の明細書全体はすべての目的においてここに参照援用する。
【図面の簡単な説明】
【０００４】
本発明の特徴と利点は、本発明の特徴を例として図示した添付図面を参照して、下記の詳細な説明から明らかとなるだろう。
【図１】一例によるユーザ装置（ＵＥ）とＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）との間の通信を示すブロック図である。
【図２Ａ】一例による、タイマーが、ユーザ装置（ＵＥ）が低消費電力設定に切り替わった時にスタートしない好ましい消費電力設定を通信する方式を示す図である。
【図２Ｂ】一例による、タイマーが、ユーザ装置（ＵＥ）が低消費電力設定に切り替わった時にスタートする好ましい消費電力設定を通信する方式を示す図である。
【図３】一例による、閾値タイマーを用いて好ましい消費電力設定を通信する方式を示す図である。
【図４】一例による、閾値タイマーを用いて好ましい消費電力設定を通信する方式を示すフローチャートである。
【図５】一例による、閾値タイマーを用いて好ましい消費電力設定を通信する抽象構文記法（ＡＳＮ）コード例を示す図である。
【図６Ａ】一例による、閾値タイマーを用いた好ましい消費電力設定の通信に用いられる様々なパラメータと定数を示すフィールド記述を有する表を示す図である。
【図６Ｂ】一例による、閾値タイマーを用いた好ましい消費電力設定の通信に用いられる様々なパラメータと定数を示すフィールド記述を有する表を示す図である。
【図７】一例による、ＰＰＩ（ｐｏｗｅｒ  ｐｒｅｆｅｒｅｎｃｅ  ｉｎｄｉｃａｔｉｏｎ）メッセージを通信できるユーザ装置（ＵＥ）のコンピュータ回路の機能を示す図である。
【図８】一例によるＰＰＩ（ｐｏｗｅｒ  ｐｒｅｆｅｒｅｎｃｅ  ｉｎｄｉｃａｔｉｏｎ）メッセージを通信する方法を示すフローチャートである。
【図９】一例による、ＰＰＩ（ｐｏｗｅｒ  ｐｒｅｆｅｒｅｎｃｅ  ｉｎｄｉｃａｔｉｏｎ）メッセージを通信できるユーザ装置（ＵＥ）を示すブロック図である。
【図１０】一例による移動デバイス（例えば、ユーザ装置）を示すブロック図である。  ここで、例示の実施形態を参照して、それを具体的に説明する。それにも関わらず、言うまでもないが、本発明の範囲を限定するものではない。
【発明を実施するための形態】
【０００５】
本発明を開示して説明する前に、言うまでもなく、本発明は、ここに開示する具体的な構造、プロセスステップ、材料に限定されず、関連技術分野における当業者に分かるそれらの等価物に拡張される。言うまでもなく、ここで用いる用語は、具体的な実施形態を説明することのみを目的として用いるものであり、限定を意図したものではない。
【０００６】
定義
ここで用いる「実質的に（ｓｕｂｓｔａｎｔｉａｌｌｙ）」との用語は、動作、特徴、特性、状態、構造、アイテムまたは結果の程度が完全であるかまたは完全に近いことを言う。例えば、オブジェクトが「実質的に」含まれているとは、そのオブジェクトが完全に含まれているか、またはほぼ完全に含まれていることを意味する。完全であることからの乖離の許容程度は、場合によっては、具体的な状況によって決まる。しかし、一般的に言って、完全への近さは、完全であった時と総合的に同じ結果が得られるかいなかによる。「実質的に」は、否定的な場合にも使われ、動作、特徴、特性、状態、構造、アイテムまたは結果が完全に無い、またはほぼ完全に無いことを指す。
【０００７】
実施形態
次に技術的実施形態の最初の概要を説明し、その後に具体的実施形態をさらに詳しく説明する。この最初の概要は、読者が早く技術を理解できるようにすることを意図したものであるが、本技術の重要な特徴や本質的な特徴を特定することを意図したり、特許請求する主題の範囲を限定することを意図したりするものではない。以下の定義は、概要や後で説明する実施形態を明確にするためのものである。
【０００８】
３ＧＰＰ  Ｒｅｌｅａｓｅ  １１では、ｅＤＤＡ（ｅｎｈａｎｃｅｍｅｎｔｓ  ｆｏｒ  ｄｉｖｅｒｓｅ  ｄａｔａ  ａｐｐｌｉｃａｔｉｏｎｓ）は、ＬＴＥでのダイバースデータアプリケーション（ｄｉｖｅｒｓｅ  ｄａｔａ  ａｐｐｌｉｃａｔｉｏｎｓ）をサポートしながら、デバイスの電力効率の改善と電波インタフェース（ａｉｒ  ｉｎｔｅｒｆａｃｅ）のシグナリングオーバーヘッドとに関する。一例では、ＵＥはｅＮＢ（ｅｖｏｌｖｅｄ  ｎｏｄｅ  Ｂ）にＰＰＩ（ｐｏｗｅｒ  ｐｒｅｆｅｒｅｎｃｅ  ｉｎｄｉｃａｔｉｏｎ）メッセージを伝える。ＰＰＩメッセージは、１ビットのＵＥアシスタンス情報（ａｓｓｉｓｔａｎｃｅ  ｉｎｆｏｒｍａｔｉｏｎ）メッセージであり、バックグラウンドトラフィックの状態でＵＥの電力効率を改善するものである。言い換えると、ＵＥは自機の好ましい消費電力設定（すなわち、ＰＰＩ情報）を、ＵＥアシスタンス情報メッセージを用いてｅＮＢに伝える。これに応じて、ｅＮＢはＵＥの消費電力設定を設定または確立する。
【０００９】
ＵＥの好ましい消費電力設定（ｐｏｗｅｒ  ｃｏｎｓｕｍｐｔｉｏｎ  ｃｏｎｆｉｇｕｒａｔｉｏｎ）は、デフォルト消費電力設定であっても、低消費電力設定であってもよい。デフォルト消費電力設定は、ＵＥが性能を保証しなければならない時には、ＵＥの好ましい消費電力設定である。低消費電力設定は省電力を目的とする際に好ましい。ＵＥにおいて好ましい電力が設定されていないとき、またはディスエーブル（ｄｉｓａｂｌｅｄ）されているとき、ネットワークはＵＥにデフォルト電力設定を割り当てる。また、デフォルト電力設定は、遅延に敏感なアプリケーション（ｄｅｌａｙ  ｓｅｎｓｉｔｉｖｅ  ａｐｐｌｉｃａｔｉｏｎｓ）などのアクティブトラフィックに対して最適化された好ましいＵＥ電力設定を表す。アクティブトラフィックセッションは、ユーザがＵＥとアクティブにインターラクト（ａｃｔｉｖｅｌｙ  ｉｎｔｅｒａｃｔｉｎｇ）する時間を含む。
【００１０】
低消費電力設定は、デバイスの省電力のために最適化され、バックグラウンドトラフィックに適した、好ましいＵＥ電力設定を表す。バックグラウンドトラフィックセッションは、ユーザがＵＥと直接的にインターラクトしていない時を表す。バックグラウンドトラフィックセッション中、アプリケーションはバックグラウンドで実行され、更新、通知などを行う。低消費電力設定では、ＵＥは、デフォルト消費電力設定と比較して低い消費電力となるよう設定される。しかし、デフォルト消費電力設定は、低消費電力設定と比較して、その他の性能パラメータを維持（例えば、遅延敏感アプリケーションの場合にエンドツーエンドレイテンシーの低下）するのに適している。
【００１１】
一般的に、ＰＰＩにより、ＵＥは、ＵＥで実行されているアプリケーションの必要性に基づいて、自機の省電力設定（ｐｏｗｅｒ  ｓａｖｉｎｇ  ｃｏｎｆｉｇｕｒａｔｉｏｎ）を効率的に再設定できる。しかし、各ＰＰＩ表示（ＰＰＩ  ｉｎｄｉｃａｔｉｏｎ）により、電波によるシグナリングオーバーヘッドが生じ、そのために過度なまたは頻繁な省電力設定への変更を避けるためのメカニズムが必要である。ＬＴＥ  Ｒｅｌｅａｓｅ  １１では、タイマーベースのメカニズムを用いて、ＵＥからの好ましい電力表示（ｐｏｗｅｒ  ｐｒｅｆｅｒｅｎｃｅ  ｉｎｄｉｃａｔｉｏｎ）の過度なシグナリング（ｓｉｇｎａｌｉｎｇ）を避ける。このように、ＬＴＥ  Ｒｅｌｅａｓｅ  １１では、ＵＥは、タイマー（例えば、Ｔ３４０禁止タイマー）が満了するまで、ｅＮＢに追加的な好ましい消費電力設定を伝えない。言い換えると、タイマーが満了してから、初めて、ＵＥはｅＮＢに追加的な好ましい消費電力設定を伝える。
【００１２】
一例として、タイマーは、ＵＥが、デフォルト消費電力設定を示すＵＥアシスタンス情報メッセージを伝える時に、スタートする。タイマーがスタートした後は、ＵＥは、そのタイマーの満了まで、低消費電力設定を示す追加的ＰＰＩ情報を伝えることができない。このように、ＵＥによるデフォルト消費電力設定から低消費電力設定への変更は、タイマー（例えば、Ｔ３４０）に対応する待ち時間の前には生じない。
【００１３】
一例では、ＵＥは、省電力のために最適化された電力設定（すなわち、低消費電力設定）の好みを事前に示してもよい。ＵＥは、厳しい遅延要件を伴うアクティブトラフィック（例えば、遅延敏感アプリケーション）の始まりを検出すると、遅延性能を確保するために、できるだけ早く、新しい好ましい消費電力設定（例えば、低レイテンシを実現するためのデフォルト消費電力設定）をネットワークに送る。しかし、この場合、Ｔ３４０タイマーが使われると、ＵＥは、タイマーが満了するのを待ってから新しい好ましい消費電力設定を送る必要がある。低消費電力設定は、省電力のために最適化され、レイテンシのために最適化されているのではないから、低消費電力設定からデフォルト消費電力設定への変更の遅延は、ＵＥのレイテンシ性能（ｌａｔｅｎｃｙ  ｐｅｒｆｏｒｍａｎｃｅ）に悪影響を及ぼすかも知れない。
【００１４】
ＵＥアシスタンス情報により節約される電力は、ＵＥで実行されているアプリケーションの遅延要件の最小化とバランスできる。一例では、ＵＥは、低消費電力設定に変更する時にはタイマーをスタートさせず、それにより、ＵＥが短い時間でデフォルト消費電力設定に切り替えられるようにして、レイテンシ性能を改善する。しかし、タイマーをスタートしないことにより、ＵＥが自機にとって好ましい消費電力設定に切り替えてＵＥアシスタンスをシグナリングする回数は増加する。このように、後でもっと詳しく説明するように、ＵＥアシスタンスのシグナリングは、ＵＥが低消費電力設定に移行した後、タイマーがスタートされない場合に限定されている。
【００１５】
図１は、一例によるユーザ装置（ＵＥ）とＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）との間の通信例を示すブロック図である。一例では、ＥＵＴＲＡＮは複数のｅＮＢ（ｅｖｏｌｖｅｄ  ｎｏｄｅ  Ｂｓ）を含む。ＥＵＴＲＡＮは、ＵＥにＲＲＣ（ｒａｄｉｏ  ｒｅｓｏｕｒｃｅ  ｃｏｎｔｒｏｌ）接続再設定メッセージを伝える。一般的に、ＲＲＣ接続再設定メッセージは、ＥＵＴＲＡＮとＵＥとの間のＲＲＣ接続を変更（ｍｏｄｉｆｙ）する。ＲＲＣ接続再設定メッセージを用いて、無線ベアラの確立または変更（ｍｏｄｉｆｙ）、ハンドオーバーの実行、測定の設定または変更（ｍｏｄｉｆｙ）などをする。
【００１６】
ＵＥは、ＲＲＣ接続再設定メッセージの受信後、ＥＵＴＲＡＮにＵＥアシスタンス情報メッセージを伝える。ＵＥアシスタンス情報メッセージは、低消費電力設定またはデフォルト消費電力設定などの、ＵＥにとって好ましい消費電力設定を示す。前述の通り、低消費電力設定では、ＵＥは、デフォルト消費電力設定と比較して低い消費電力となるよう設定される。
【００１７】
後でもっと詳しく説明するが、低消費電力設定とデフォルト消費電力設定は、ＵＥに関連するＤＲＸ（ｄｉｓｃｏｎｔｉｎｕｏｕｓ  ｒｅｃｅｐｔｉｏｎ）サイクルに影響する。３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）Ｌｏｎｇ  Ｔｅｒｍ  Ｅｖｏｌｕｔｉｏｎ  （ＬＴＥ）ネットワークＲｅｌｅａｓｅ  ８などの無線ワイドエリアネットワーク（ＷＷＡＮ）では、省電力のために、ＤＲＸ（ｄｉｓｃｏｎｔｉｎｕｏｕｓ  ｒｅｃｅｐｔｉｏｎ）の概念が導入された。ＤＲＸを用いて、３ＧＰＰ  ＬＴＥネットワーク中のユーザ装置（ＵＥ）などの無線デバイスが、ｅＮｏｄｅＢ（ｅｎｈａｎｃｅｄ  ＮｏｄｅＢ）などの伝送局から伝えられるＰＤＣＣＨ（ｐｈｙｓｉｃａｌ  ｄｏｗｎｌｉｎｋ  ｃｏｎｔｒｏｌ  ｃｈａｎｎｅｌ）などの制御チャネルを継続的にモニターできるようにできる。継続的なモニタリングにより、ＵＥの受信器をオフにできるので、ＵＥにおける大幅な省電力が実現できる。
【００１８】
一例では、無線デバイスのＷＷＡＮトランシーバは、ネットワークノードと呼ばれる伝送局と通信して、無線デバイスがネットワークノードからの通信を受信する時間をネゴシエーションする。ネゴシエーションされた、情報を受信しない時間には、無線デバイスは、自機のレシーバをオフにして、低電力状態に入る。３ＧＰＰ  ＬＴＥ  Ｒｅｌ．８，９，１０，１１及び１２、並びにＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準を含むがこれに限定されない異なる多くの無線通信標準では、継続的受信を用いる。
【００１９】
３ＧＰＰ  ＬＴＥ標準では、一組の機能を設けて、ＵＥのＬＴＥ設定されたレシーバがスリープイベントを実行できるようにしている。このスリープイベントは、１ミリ秒から数百ミリ秒以上まで続く。スリープイベントの長さとタイミングはＵＥとネットワークノードとの間でネゴシエーションできる。ネゴシエーションは、ＯＳＩ（Ｏｐｅｎ  Ｓｙｓｔｅｍｓ  Ｉｎｔｅｒｃｏｎｎｅｃｔｉｏｎ）レベル３通信またはその他のタイプのハイレベルシグナリングを用いて、実行できる。３ＧＰＰ  ＬＴＥ標準におけるＯＳＩレベル３通信の一例は、ＲＲＣ（ｒａｄｉｏ  ｒｅｓｏｕｒｃｅ  ｃｏｎｔｒｏｌ）シグナリングである。ＬＴＥ標準では、ＲＲＣシグナリングを用いて、ＵＥのＬＴＥ設定トランシーバにおけるＤＲＸ動作を制御する。ＲＲＣシグナリングを用いて、様々なパラメータを設定することにより、ＤＲＸの使用を管理できる。例えば、パラメータの１つは、ＤＲＸ  Ｃｙｃｌｅを含む。これは、「Ｏｎ  Ｄｕｒａｔｉｏｎ」として特定されるアクティブ期間の周期的な繰り返しと、場合によってはそれに続くアクティブでない期間とを特定するものである。ＤＲＸ  ＬｏｎｇサイクルとＤＲＸ  Ｓｈｏｒｔサイクルとがある。この他のパラメータ例として、Ｏｎ  Ｄｕｒａｔｉｏｎタイマー、ＤＲＸ  Ｉｎａｃｔｉｖｉｔｙタイマー、ＤＲＸ  Ｒｅｔｒａｎｓｍｉｓｓｉｏｎタイマー、ＤＲＸ  Ｓｈｏｒｔ  Ｃｙｃｌｅ、Ｓｈｏｒｔ  ＤＲＸ  Ｃｙｃｌｅタイマー、アップリンク（ＵＬ）Ｒｅｔｒａｎｓｍｉｓｓｉｏｎ  Ｔｉｍｅｒ、及びダウンリンク（ＤＬ）Ｒｅｔｒａｎｓｍｉｓｓｉｏｎ  Ｔｉｍｅｒがある。
【００２０】
図２Ａと図２Ｂは、それぞれ、低消費電力設定に切り替える時にタイマー（例えば、Ｔ３４０ｐｒｏｂｉｈｉｔタイマー）をスタートしないユーザ装置（ＵＥ）の例と、低消費電力設定に切り替える時にタイマー（例えば、Ｔ３４０ｐｒｏｂｉｈｉｔタイマー）をスタートするＵＥの例とを示す。Ｔ３４０禁止タイマーの時間は、１ミリ秒（ｍｓ）、２ｍｓ、５ｍｓ、１０ｍｓ、２０ｍｓ、３０ｍｓなどである。図２ａと図２Ｂに示したように、波線矢印は、ＵＥがデフォルト消費電力設定を開始することを示し、実線矢印は、ＵＥが低消費電力設定を開始することを示す。ＴＬは、ＵＥが低消費電力設定にある時間を表し、ＴＬ＞０である。ＴＤは、ＵＥがデフォルト消費電力設定にある時間を表し、ＴＤ≧０である。
【００２１】
図２Ａに示すように、ＵＥは、ＰＰＩメッセージをｅＮＢに伝えることにより、デフォルト消費電力設定（すなわち、ＰＰＩ）を開始する。ｅＮＢは、Ｔ３４０の期間中、デフォルト消費電力設定にある。言い換えると、Ｔ３４０タイマーはＵＥがデフォルト消費電力設定に切り替わったときにスタートするので、ＵＥは少なくともタイマー（例えば、Ｔ３４０）の長さだけデフォルト消費電力設定になる。一例では、ＵＥは、デフォルト消費電力設定にある時間中には短いＤＲＸ（ｄｉｓｃｏｎｔｉｎｕｏｕｓ  ｒｅｃｅｐｔｉｏｎ）サイクルを有する。
【００２２】
ＵＥは、その後に低消費電力設定を開始する。また、ＵＥは、低消費電力設定に切り替えた後には、Ｔ３４０をスタートしない。このように、ＵＥが低消費電力設定にある時間は、Ｔ３４０タイマーより短くても長くてもよいが、０より長い。一例では、ＵＥは、低消費電力設定にある時間中には長いＤＲＸ（ｄｉｓｃｏｎｔｉｎｕｏｕｓ  ｒｅｃｅｐｔｉｏｎ）サイクルと大きい遅延を有する。ＵＥは、Ｔ３４０より短い時間だけ低消費電力設定にあり、その後にデフォルト消費電力設定を開始する。ＵＥがデフォルト消費電力設定に速く（すなわち、Ｔ３４０より短い時間で）切り替わることにより、平均遅延は短くなる。ＵＥは、その後再び、デフォルト消費電力設定から低消費電力設定に切り替わっても良い。ＵＥは、Ｔ３４０より短い時間だけ低消費電力設定にあり、その後にデフォルト消費電力設定に切り替わる。ＵＥは、Ｔ３４０の期間中、デフォルト消費電力設定にある。
【００２３】
図２Ａに示した例では、ＵＥが低消費電力設定に切り替えた直後に（すなわち、Ｔ３４０タイマーより短い時間で）デフォルト消費電力設定を開始するので、過剰なシグナリングが生じる。ＵＥが、低消費電力設定に切り替えてすぐにデフォルト消費電力設定を開始することは、ピンポン効果として知られている。しかし、ＵＥが低消費電力設定に切り替わった後にＴ３４０タイマーがスタートしないので、ＵＥは、アクティブトラフィックがＵＥに到着したら、不要なレイテンシを回避できる。
【００２４】
図２Ｂに示すように、ＵＥは、ＰＰＩメッセージをｅＮＢに伝えることにより、デフォルト消費電力設定（すなわち、ＰＰＩ）を開始する。ｅＮＢは、Ｔ３４０の期間中、デフォルト消費電力設定にある。言い換えると、Ｔ３４０タイマーはＵＥがデフォルト消費電力設定に切り替わったときにスタートするので、ＵＥは少なくともタイマー（例えば、Ｔ３４０）の長さだけデフォルト消費電力設定になる。一例では、ＵＥは、デフォルト消費電力設定にある時間中には短いＤＲＸ（ｄｉｓｃｏｎｔｉｎｕｏｕｓ  ｒｅｃｅｐｔｉｏｎ）サイクルを有する。
【００２５】
ＵＥは、その後に低消費電力設定を開始する。また、ＵＥが低消費電力設定に切り替わると、Ｔ３４０タイマーがスタートする。このように、ＵＥが低消費電力設定にある時間は、Ｔ３４０タイマー以上である。一例では、ＵＥは、低消費電力設定にある時間中には長いＤＲＸ（ｄｉｓｃｏｎｔｉｎｕｏｕｓ  ｒｅｃｅｐｔｉｏｎ）サイクルと大きい遅延を有する。ＵＥは、Ｔ３４０の時間だけ低消費電力設定にあり、その後にデフォルト消費電力設定を開始する。ＵＥは、Ｔ３４０タイマーより長い時間、デフォルト消費電力設定にある。ＵＥは、その後再び低消費電力設定に切り替わり、Ｔ３４０タイマーの期間中、低消費電力設定に留まる。
【００２６】
図２Ｂに示した例では、ＵＥはピンポン効果を回避できる（すなわち、ＵＥは、Ｔ３４０タイマーより短い時間で低消費電力設定からデフォルト消費電力設定に戻る）が、潜在的に平均レイテンシが大きい、望ましくない時間が代償となる。このように、ＵＥが低消費電力設定に切り替わった後、Ｔ３４０タイマーがスタートすると、ＵＥの低消費電力状態への移行後すぐにアクティブトラフィックがＵＥに届くと、エンドツーエンドレイテンシが大きくなり、それによりユーザ体験に悪い影響が生じる。一例では、アクティブトラフィックは、ＵＥの低消費電力状態への移行後、Ｔ３４０タイマーより短い時間でＵＥに届く。
【００２７】
図３は、閾値タイマーを用いた好ましい消費電力設定を伝える方式例を示す。図３は、閾値タイマーの使用を示し、アクティブトラフィックがＵＥに届いた場合に生じるが回避できる望ましくない大きさのレイテンシ期間を短縮し、同時に図２Ａに示したピンポン効果による過剰なシグナリングオーバーヘッドを制御する。一例では、ＬＴＥ  Ｒｅｌｅａｓｅ  １１のように、閾値タイマー（例えば、Ｔ３４０禁止タイマー）は、ＵＥが低消費電力設定を伝えた後に自動的にスタートしない。むしろ、閾値タイマーは、閾値を満たすある条件が満たされる時に、ＵＥが低消費電力設定を伝えた後に、インプリメントされる。
【００２８】
ＵＥは、ｅＮＢから、ＵＥが確定された時間ウィンドウ中にｅＮＢに伝えることができるＰＰＩメッセージの最大数を示す所定閾値（ｔｈｒｅｓｈｏｌｄ）を含むＰＰＩ設定情報を受信する。具体的に、ｅＮＢは、ＵＥが低消費電力設定を伝えると、ＵＥにより伝えられるＰＰＩメッセージの数を制限する。一例では、ＰＰＩ設定情報は、ネットワーク状態に応じてｅＮＢにより動的に設定される。ＰＰＩ設定情報は、所定閾値と、確定された時間ウィンドウに関連する時間ウィンドウサイズとを含む。確定時間ウィンドウのサイズは、所定閾値時間かけるタイマーの長さ（すなわち、Ｎｔｈｒｅｓｈｏｌｄ×Ｔ３４０）として、選択される。また、所定閾値の値は、Ｎｔｈｒｅｓｈｏｌｄ≦Ｔｉｍｅ  Ｗｉｎｄｏｗ  Ｓｉｚｅ／Ｔ３４０などの整数値として確定される。言い換えると、確定時間ウィンドウの長さは、タイマー長の倍数である。例えば、時間ウィンドウサイズ＝３とは、時間ウィンドウの長さがＴ３４０タイマーの長さの３倍であることを示す。他の一例として、時間ウィンドウの長さは、Ｔ３４０タイマー長の５倍であっても、Ｔ３４０タイマー長の半分であってもよい。
【００２９】
ＵＥは、低消費電力設定をＵＥに伝え、その後、デフォルト消費電力設定または低消費電力設定のいずれかを示す一連の追加的ＰＰＩメッセージをｅＮＢに伝える。ＵＥは、ｅＮＢから受信するＰＰＩ設定情報に基づいて、ｅＮＢに送信される追加的ＰＰＩメッセージの数をモニターする。ＵＥは、確定時間ウィンドウの間に追加的ＰＰＩメッセージの数が所定閾値を超えた（例えば、確定時間ウィンドウ中に１０個のＰＰＩメッセージ交換）ことを検知すると、閾値タイマーを作動させる（ｉｎｉｔｉａｔｅ）。閾値タイマー（例えば、Ｔ３４０タイマー）の作動により、ＵＥは、その閾値タイマー長の間、追加的ＰＰＩメッセージを送信を制限される。具体的に、閾値タイマーは、最後の低消費電力設定メッセージがｅＮＢに送信された後に、作動される。閾値タイマーの長さは、１ｍｓ，２ｍｓ，５ｍｓ，１０ｍｓ，２０ｍｓ，３０ｍｓなどである。このように、閾値タイマーは、追加的ＰＰＩメッセージの数が所定閾値を超えたかどうかに応じて、作動される。閾値タイマーが作動されると、ＵＥは、その閾値タイマーの長さの間、ｅＮＢに好ましい消費電力設定を送信できない。
【００３０】
閾値タイマーが（例えば、１０ｍｓ後に）満了すると、ＵＥはある基準が満たされるまで、そのタイマーを再作動できない。言い換えると、閾値タイマーは非アクティブ（ｉｎａｃｔｉｖａｔｅｄ）にされ、ＵＥは（低消費電力設定メッセージを含む）ＰＰＩメッセージを、ｅＮＢに自由に送信できる。ＵＥは、低消費電力設定を送信後に閾値タイマーを作動できない。しかし、ｅＮＢに送信されるＰＰＩメッセージの数がｅＮＢから受信したＰＰＩ設定情報に確定された閾値を超えると、ＵＥは閾値タイマーを再作動（ｒｅｉｎｉｔｉａｔｅ）させ、その閾値タイマーが満了するまで、ＵＥがＰＰＩメッセージを送信しないようにする。
【００３１】
図３に示すように、ＵＥは、ｅＮＢに複数の好ましい消費電力設定を送信できる。波線矢印は、ＵＥがデフォルト消費電力設定を開始することを示し、実線矢印は、ＵＥが低消費電力設定を開始することを示す。ＴＬは、ＵＥが低消費電力設定にある時間を表し、ＴＬ＞０である。ＴＤは、ＵＥがデフォルト消費電力設定にある時間を表し、ＴＤ≧０である。
【００３２】
図３に示したように、ＵＥは、デフォルト消費電力設定を開始できる。ＵＥがｅＮＢにデフォルト消費電力設定を送信する時にＴ３４０タイマーがアクティブ化されるので、ＵＥは、Ｔ３４０の時間を、デフォルト消費電力設定で過ごす。ＵＥは、その後に低消費電力設定を開始する。ＵＥが低消費電力設定を送信した後、ＵＥが自機の好ましい消費電力設定を変更しない限り、時間ウィンドウの所定閾値の間、閾値タイマーは作動されない。ＵＥが自機の電力設定を変更する回数が所定閾値より多い場合、閾値タイマーがアクティブ化され、その閾値タイマー（例えば、Ｔ３４０タイマー）の長さの間、ＵＥはｅＮＢにＰＰＩメッセージを送信できない。
【００３３】
図３に示したように、ＵＥは、最初の低消費電力設定メッセージの後、複数の追加的な好ましい消費電力設定メッセージを送信できる。複数の追加的な好ましい消費電力設定メッセージは、所定閾値を超えても良い。このように、ＵＥが、（図３の第２の低消費電力設定で示したように）所定閾値を超えた後、低消費電力設定に切り替えると、閾値タイマー（例えば、Ｔ３４０タイマー）がアクティブ化される。このように、ＵＥは、Ｔ３４０タイマーが満了するまで待ってから、他のデフォルト消費電力設定を送信しなければならない。また、ＵＥは、Ｔ３４０の期間中、デフォルト消費電力設定に留まる。閾値タイマーを用いて、ＵＥが低消費電力設定に切り替わってからｅＮＢに送信される好ましい消費電力設定メッセージの数を制限することにより、ＵＥにおける過剰なユーザアシスタンスシグナリングが低減できる。
【００３４】
図４は、閾値タイマーを用いた好ましい消費電力設定を伝える方式を示すフローチャートである。ユーザ装置（ＵＥ）は、時間ウィンドウサイズと所定閾値（Ｎｔｈｒｅｓｈｏｌｄ）とを受信する。前述の通り、時間ウィンドウサイズは、所定閾値（Ｎｔｈｒｅｓｈｏｌｄ）かけるタイマー長（すなわち、Ｎｔｈｒｅｓｈｏｌｄ×Ｔ３４０）である。Ｎｔｈｒｅｓｈｏｌｄは整数である。一例では、ＵＥは、ｅＮＢ（ｅｖｏｌｖｅｄ  ｎｏｄｅ  Ｂ）からＲＲＣ（ｒａｄｉｏ  ｒｅｓｏｕｒｃｅ  ｃｏｎｔｒｏｌ）設定確立メッセージで、時間ウィンドウサイズと所定閾値とを受信する。ＵＥは、時間ウィンドウサイズと所定閾値とを用いて、閾値タイマー（例えば、Ｔ３４０禁止タイマー）を作動させる。また、ＵＥは、初期ユーザ状態（例えば、ＵＥのデフォルト消費電力設定または低消費電力設定）を特定する。
【００３５】
ＵＥは、現在時間ウィンドウなどの確定時間ウィンドウを開始し、現在時間ウィンドウ＝０とする。ＵＥはＰＰＩ（ｐｏｗｅｒ  ｐｒｅｆｅｒｅｎｃｅ  ｉｎｄｉｃａｔｉｏｎ）カウントを０に設定する。ＵＥは現在時間ウィンドウの経過を追う。現在の時間ウィンドウサイズが時間ウィンドウサイズより大きい場合、ＵＥは現在の時間ウィンドウを０に、またＰＰＩカウントを０に、再初期化する。また、ＵＥは、ＵＥとｅＮＢとの間で交換されるＰＰＩメッセージの数をカウントする。前述の通り、ＵＥは低電力状態からデフォルト状態に、またはその逆に変更するＰＰＩメッセージを送信する。
【００３６】
ＵＥは、デフォルト消費電力設定を示すＰＰＩメッセージをｅＮＢに送信した後、Ｔ３４０タイマーをスタートする。あるいは、ＵＥは、低消費電力設定を示すＰＰＩメッセージをｅＮＢに送信した後、Ｔ３４０タイマーをスタートしない。ＵＥは、ＰＰＩカウント（すなわち、ＵＥとｅＮＢとの間で交換されるＰＰＩメッセージの数）がＮｔｈｒｅｓｈｏｌｄ以上であるか、モニターする。ＰＰＩメッセージの数がＮｔｈｒｅｓｈｏｌｄ以上でなければ、ＵＥは、そのＵＥとｅＮＢとの間で交換されるＰＰＩメッセージの数のカウントを続ける。あるいは、ＰＰＩメッセージの数がＮｔｈｒｅｓｈｏｌｄ以上であれば、ＵＥは現在時間ウィンドウの経過を追う。また、ＵＥは、デフォルト消費電力設定を示すＰＰＩメッセージをｅＮＢに追加的に送信した後、Ｔ３４０タイマーをスタートする。あるいは、ＵＥは、低消費電力設定を示すＰＰＩメッセージをｅＮＢに追加的に送信した後、Ｔ３４０タイマーをスタートする。現在時間ウィンドウが時間ウィンドウサイズより大きい場合、ＵＥは、現在時間ウィンドウを０に、及びＰＰＩカウントを０に再初期化し、ＵＥとｅＮＢとの間で交換されるＰＰＩメッセージの数のカウントを続ける。ＵＥにより実行されるこれ以降のステップは前述した通りである。
【００３７】
図５は、閾値タイマーを用いて好ましい消費電力設定を送信する抽象構文記法（ａｂｓｔｒａｃｔ  ｓｙｎｔａｘ  ｎｏｔａｔｉｏｎ（ＡＳＮ））コード例を示す図である。ｅＮＢは、ＵＥにＲＲＣ（ｒａｄｉｏ  ｒｅｓｏｕｒｃｅ  ｃｏｎｔｒｏｌ）設定確立メッセージを伝える。ＲＲＣ背邸確立メッセージは、Ｏｔｈｅｒ  Ｃｏｎｆｉｇｕｒａｔｉｏｎ（ｏｔｈｅｒＣｏｎｆｉｇ）情報要素（ＩＥ）を含む。図５は、ｏｔｈｅｒＣｏｎｆｉｇ  ＩＥに関連するＡＳＮ．１コードの例を示している。具体的に、ＡＳＮ．１コードは、最小及び最大の整数値（例えば、それぞれｎ２とＮ３４０）でＰＰＩ（ｐｏｗｅｒ  ｐｒｅｆｅｒｅｎｃｅ  ｉｎｄｉｃａｔｉｏｎ）時間ウィンドウ（ｐｏｗｅｒＰｒｅｆｌｎｄｉｃａｔｉｏｎ−ＴｉｍｅＷｉｎｄｏｗ）（ｐｏｗｅｒ  ｐｒｅｆｅｒｅｎｃｅ  ｉｎｄｉｃａｔｉｏｎ  ｔｉｍｅ  ｗｉｎｄｏｗ）を設定する具体的に、ＡＳＮ．１コードは、最小及び最大の整数値（例えば、それぞれｎ２とＮ３４０）でＰＰＩ時間ウィンドウ（ｐｏｗｅｒＰｒｅｆｌｎｄｉｃａｔｉｏｎ−ＴｉｍｅＷｉｎｄｏｗ）（ｐｏｗｅｒ  ｐｒｅｆｅｒｅｎｃｅ  ｉｎｄｉｃａｔｉｏｎ  ｔｉｍｅ  ｗｉｎｄｏｗ）を設定する。
【００３８】
図６Ａと図６Ｂは、閾値タイマーを用いた好ましい消費電力設定の通信に用いられる様々なパラメータと定数を示すフィールド記述を有する表を示す図である。具体的に、図５に示したｏｔｈｅｒＣｏｎｆｉｇ  ＩＥに関連するＡＳＮ．１コード例には、パラメータと定数が含まれる。パラメータには、ｐｏｗｅｒＰｒｅｆｔｎｄｉｃａｔｉｏｎ−Ｔｉｍｅ  ＷｉｎｄｏｗとｐｏｗｅｒＰｒｅｆｌｎｄｉｃａｔｉｏｎ−Ｎｔｈｒｅｓｈｏｌｄとが含まれる。パラメータｐｏｗｅｒＰｒｅｆｌｎｄｉｃａｔｉｏｎ−ＴｉｍｅＷｉｎｄｏｗは、タイマーＴ３４０に関する時間ウィンドウサイズを示す。例えば、ｐｏｗｅｒＰｒｅｆｌｎｄｉｃａｔｉｏｎ−Ｔｉｍｅ  Ｗｉｎｄｏｗ＝２である場合、時間ウィンドウサイズはＴ３４０の時間の２倍である。パラメータｐｏｗｅｒＰｒｅｆｌｎｄｉｃａｔｉｏｎ−Ｎｔｈｒｅｓｈｏｌｄは、各時間ウィンドウ中に交換できるＰＰＩメッセージの数の上限である。ｐｏｗｅｒＰｒｅｆｌｎｄｉｃａｔｉｏｎ−Ｎｔｈｒｅｓｈｏｌｄを超えると、ＵＥが低消費電力設定の各ＰＰＩを送信した時に、Ｔ３４０タイマーがスタートする。定数Ｎ３４０はｐｏｗｅｒＰｒｅｆｌｎｄｉｃａｔｉｏｎ−Ｔｉｍｅ  Ｗｉｎｄｏｗの最大値である。定数Ｎ３４１はｐｏｗｅｒＰｒｅｆｌｎｄｉｃａｔｉｏｎ−Ｎｔｈｒｅｓｈｏｌｄの最大値である。
【００３９】
図７のフローチャートに示すように、ＰＰＩ（ｐｏｗｅｒ  ｐｒｅｆｅｒｅｎｃｅ  ｉｎｄｉｃａｔｉｏｎ）メッセージを送信できるユーザ装置のコンピュータ回路７００の機能を示す。この機能は方法として実施されてもよいし、機械における命令として実行されてもよく、命令は少なくとも１つのコンピュータ読み取り可能媒体または１つの非一時的機械読み取り可能記憶媒体に含まれていても良い。ブロック７１０のように、コンピュータ回路は、ｅＮＢ（ｅｖｏｌｖｅｄ  ｎｏｄｅ  Ｂ）からＰＰＩ設定情報を受信するように構成できる。ＰＰＩ設定情報は、ＵＥが低消費電力設定を示した後に確定された時間ウィンドウ中にｅＮＢに送信できるＰＰＩメッセージの数に対する所定閾値を含む。ブロック７２０のように、コンピュータ回路は、確定された時間ウィンドウ中にｅＮＢに低消費電力設定を示した後、複数のＰＰＩメッセージを送信するように構成できる。複数のＰＰＩメッセージは、それぞれ好ましい省電力設定における変更を示す。ブロック７３０のように、コンピュータ回路は、さらに、ＰＰＩ設定情報で確定された確定時間ウィンドウ中にＵＥがｅＮＢに送信できる複数のＰＰＩメッセージがＰＰＩメッセージの数の所定閾値を超えたことを検知するように構成されていてもよい。ブロック７４０のように、コンピュータ回路は、複数のＰＰＩメッセージが所定閾値を超えたのに応じて、閾値タイマーを作動させ、その閾値タイマーが満了するまで、追加的なＰＰＩメッセージがｅＮＢに送信されるのを制限するように構成されていてもよい。
【００４０】
一例では、ＰＰＩ設定情報は、所定閾値と確定時間ウィンドウに関連する時間ウィンドウサイズを含み、時間ウィンドウサイズは所定閾値かける閾値タイマーの長さである。また、コンピュータ回路は、さらに、ＵＥにおいて、ｅＮＢからＲＲＣ（ｒａｄｉｏ  ｒｅｓｏｕｒｃｅ  ｃｏｎｔｒｏｌ）設定確立メッセージに含まれたＰＰＩ設定情報要素（ＩＥ）中のＰＰＩ設定情報を受信するように構成されていてもよい。
【００４１】
一構成では、コンピュータ回路は、さらに、複数のＰＰＩメッセージが確定時間ウィンドウ中に所定閾値を超えないとき、追加的メッセージがｅＮＢに送信されることが制限されないことを判断するように構成されてもよい。また、閾値タイマーはＴ３４０禁止タイマーである。
【００４２】
１つの構成では、コンピュータ回路は、ＵＥが遅延敏感アプリケーション（ｄｅｌａｙ  ｓｅｎｓｉｔｉｖｅ  ａｐｐｌｉｃａｔｉｏｎ）の初期化を検出したのに応じて、ｅＮＢに、デフォルト消費電力設定を示すＰＰＩメッセージを送信するように構成されている。また、コンピュータ回路は、さらに、閾値タイマーが満了した後に、閾値タイマーの満了が所定閾値を超えた後に複数のＰＰＩメッセージが送信された時、その閾値タイマーを再初期化するように構成されている。一例では、コンピュータ回路は、さらに、デフォルト消費電力設定を示すＰＰＩメッセージのｅＮＢへの送信に応じて、閾値タイマーを初期化するように構成されている。さらに、ＵＥは、アンテナ、タッチ感知ディスプレイスクリーン、スピーカ、マイクロホン、グラフィックスプロセッサ、アプリケーションプロセッサ、内部メモリ、または不揮発性メモリポートを含んでいてもよい。
【００４３】
他の一例は、図８のフローチャートに示したように、ＰＰＩ（ｐｏｗｅｒ  ｐｒｅｆｅｒｅｎｃｅ  ｉｎｄｉｃａｔｉｏｎ）メッセージを送信する方法８００を提供する。この方法は機械に対する命令として実施されてもよいし、命令は少なくとも１つのコンピュータ読み取り可能媒体または１つの非一時的機械読み取り可能記憶媒体に含まれていても良い。本方法は、ブロック８１０のように、ノードからユーザ装置（ＵＥ）にＰＰＩ設定情報を送信する動作を含む。ＰＰＩ設定情報は、ＵＥが低消費電力設定にある時に、確定時間ウィンドウ中にＵＥがノードに送信できるＰＰＩメッセージの数に対する所定閾値を含む。本方法は、ブロック８２０のように、ＵＴから、低消費電力設定を示すＰＰＩメッセージの受信に続く確定時間ウィンドウ中に複数のＰＰＩメッセージを受信するステップを含む。複数のＰＰＩメッセージは、それぞれ好ましい消費電力設定の変更を示す。本発明は、ブロック８３０のように、さらに、ノードに送信された複数のＰＰＩメッセージが確定時間ウィンドウ中に所定閾値を超えたのをＵＥが検知したのに応じて、ＵＥにおける初期化された閾値タイマーの満了後に、ＵＥから追加的ＰＰＩメッセージを受信するステップを含む。
【００４４】
一例では、本方法は、所定閾値と確定時間ウィンドウに関連する時間ウィンドウサイズを含むＰＰＩ設定情報を、ＵＥに送信するステップを含み、時間ウィンドウサイズは所定閾値かける閾値タイマーの長さである。また、本方法は、さらに、ＵＥに、ノードからＲＲＣ（ｒａｄｉｏ  ｒｅｓｏｕｒｃｅ  ｃｏｎｔｒｏｌ）設定確立メッセージに含まれたＰＰＩ設定情報要素（ＩＥ）中のＰＰＩ設定情報を受信するステップを含んでいても良い。
【００４５】
１つの構成では、本方法は、Ｔ３４０禁止タイマーの満了後、ＵＥから追加的なＰＰＩメッセージを受信するステップを含む。また、この方法は、ＵＥが遅延敏感アプリケーションの初期化を検知したのに応じて、ノードにおいて、デフォルト消費電力設定を示すＰＰＩメッセージを受信するステップを含む。さらに、本方法は、ＵＥから、好ましい消費電力設定を示す複数のＰＰＩメッセージを受信するステップを含む。好ましい消費電力設定の変更は、デフォルト消費電力設定と低消費電力設定とのうち一方を示す。一例では、ノードは、基地局（ＢＳ）、Ｎｏｄｅ  Ｂ（ＮＢ）、ｅｖｏｌｖｅｄ  Ｎｏｄｅ  Ｂ（ｅＮＢ）、ベースバンドユニット（ＢＢＵ）、リモートラジオヘッド（ＲＲＨ）、リモートラジオ装置（ＲＲＥ）、またはリモートラジオユニット（ＲＲＵ）よりなる群から選択される。
【００４６】
図９は、本発明の他の一実施形態に示した、ＰＰＩ（ｐｏｗｅｒ  ｐｒｅｆｅｒｅｎｃｅ  ｉｎｄｉｃａｔｉｏｎ）メッセージを送信するように構成された無線デバイス（例えば、ユーザ装置）９００の一例を示す。この無線装置は、ｅＮＢ（ｅｖｏｌｖｅｄ  ｎｏｄｅ  Ｂ）からＰＰＩ設定情報を受信するように構成されたＰＰＩ設定モジュール９０２を有し、ＰＰＩ設定情報は、ＵＥが低消費電力設定を示した後に確定された時間ウィンドウ中にｅＮＢに送信できるＰＰＩメッセージの数に対する所定閾値を含む。この無線デバイスは、確定された時間ウィンドウ中にｅＮＢに低消費電力設定を送信した後、複数のＰＰＩメッセージを送信するように構成された通信モジュール９０４を有する。複数のＰＰＩメッセージは、それぞれ好ましい消費電力設定における変更を示す。この無線デバイスは、さらに、複数のＰＰＩメッセージが、ＰＰＩ設定情報で確定された確定時間ウィンドウ中にＵＥがｅＮＢに送信できるＰＰＩメッセージの数の所定閾値を超えたことを検知するように構成された検知モジュール９０６を有する。また、この無線デバイスは、複数のＰＰＩメッセージが所定閾値を超えたのに応じて、閾値タイマーを作動させ、その閾値タイマーが満了するまで、追加的なＰＰＩメッセージがｅＮＢに送信されるのを制限するように構成されたタイマーモジュール９０８を有していてもよい。
【００４７】
一例では、ＰＰＩ設定モジュールは、さらに、ＵＥにおいて、ｅＮＢからＲＲＣ（ｒａｄｉｏ  ｒｅｓｏｕｒｃｅ  ｃｏｎｔｒｏｌ）設定確立メッセージに含まれたＰＰＩ設定情報要素（ＩＥ）中のＰＰＩ設定情報を受信するように構成されていてもよい。また、この通信モジュールは、さらに、ＵＥが遅延敏感アプリケーション（ｄｅｌａｙ  ｓｅｎｓｉｔｉｖｅ  ａｐｐｌｉｃａｔｉｏｎ）の初期化を検出したのに応じて、ｅＮＢに、デフォルト消費電力設定を示すＰＰＩメッセージを送信するように構成されている。
【００４８】
一構成では、タイマーモジュールは、さらに、複数のＰＰＩメッセージが確定時間ウィンドウ中に所定閾値を超えないとき、追加的メッセージがｅＮＢに送信されることが制限されないことを判断するように構成されている。一例では、タイマーモジュールは、さらに、複数のＰＰＩメッセージが所定閾値を超えたのに応じて、Ｔ３４０禁止タイマーを初期化するように構成されている。また、タイマーモジュールは、さらに、閾値タイマーが満了した後に、閾値タイマーの満了が所定閾値を超えた後に複数のＰＰＩメッセージが送信された時、その閾値タイマーを再初期化するように構成されている。さらに、タイマーモジュールは、さらに、ＵＥがデフォルト消費電力設定を示すのに応じて、閾値タイマーを初期化するように構成されている。
【００４９】
図１０は、ユーザ装置（ＵＥ）、移動局（ＭＳ）、移動無線デバイス、移動通信デバイス、タブレット、ハンドセット、その他のタイプの移動無線デバイスなどの移動デバイスの一例である。この移動デバイスは、基地局（ＢＳ）、ｅｖｏｌｖｅｄ  Ｎｏｄｅ  Ｂ（ｅＮＢ）、ベースバンドユニット（ＢＢＵ）、リモートラジオヘッド（ＲＲＨ）、リモートラジオ装置（ＲＲＥ）、リレー局（ＲＳ）、ラジオ装置（ＲＥ）、その他のタイプの無線ワイドエリアネットワーク（ＷＷＡＮ）アクセスポイントなどの、ノード、マクロノード、低電力ノード（ＬＰＮ）または伝送局と通信するように構成された一以上のアンテナを含む。移動デバイスは、３ＧＰＰ  ＬＴＥ、ＷｉＭＡＸ、Ｈｉｇｈ  Ｓｐｅｅｄ  Ｐａｃｋｅｔ  Ａｃｃｅｓｓ（ＨＳＰＡ）、Ｂｌｕｅｔｏｏｔｈ（登録商標）、及びＷｉＦｉを含む少なくとも１つの無線通信標準を用いて通信するように構成されている。移動デバイスは、各無線通信標準用の別々のアンテナを用いて、または複数の無線通信標準用の共用アンテナを用いて通信できる。移動デバイスは、無線ローカルエリアネットワーク（ＷＬＡＮ）、無線パーソナルエリアネットワーク（ＷＰＡＮ）、及び／またはＷＷＡＮで通信できる。
【００５０】
図１０は、移動デバイスへのオーディオ入出力に用いるマイクロホン及び一以上のスピーカも例示している。ディスプレイスクリーンは液晶ディスプレイ（ＬＣＤ）スクリーン、その他のタイプのディスプレイスクリーン（例えば、有機発光ダイオード（ＯＬＥＤ）ディスプレイ）であり得る。ディスプレイスクリーンはタッチスクリーンとして構成してもよい。タッチスクリーンは、容量型、抵抗型、その他のタイプのタッチスクリーン技術を用いたものである。アプリケーションプロセッサとグラフィックスプロセッサは、内部メモリに結合され、処理及びディスプレイ機能を提供する。不揮発性メモリポートを用いて、ユーザにデータ入出力のオプションを提供することもできる。不揮発性メモリポートを用いて、移動デバイスのメモリ機能を拡張することもできる。キーボードは、移動デバイスに組み込まれ、または移動デバイスに無線接続され、追加的にユーザ入力機能を提供できる。タッチスクリーンを用いて仮想キーボードを提供してもよい。
【００５１】
様々な手法、またはその態様や部分は、フロッピー（登録商標）ディスク、ＣＤ−ＲＯＭ、ハードディスクドライブ、非一時的コンピュータ読み取り可能記憶媒体、その他の任意の機械読み取り可能媒体などの有体媒体に化体されたプログラムコード（すなわち、命令）の形式を取っても良い。コンピュータなどの機械によりプログラムコードがロードされ実行されると、その機械は上記の様々な手法を実施する装置になる。プログラマブルコンピュータにおいてプログラムコードを実行する場合、コンピューティングデバイスは、プロセッサ、そのプロセッサにより読み取り可能な記憶媒体（揮発性及び不揮発性メモリ及び／または記憶要素を含む）、少なくとも１つの入力デバイス、及び少なくとも１つの出力デバイスを含む。揮発性及び不揮発性メモリ及び／または記憶要素は、ＲＡＭ、ＥＰＲＯＭ、フラッシュドライブ、光ドライブ、磁気ハードディスクドライブ、及び電子データを記憶するその他の媒体であり得る。基地局及び移動局は、トランシーバモジュール、カウンターモジュール、処理モジュール、及び／またはクロックモジュールまたはタイマーモジュールも含み得る。ここに説明した様々な手法を実施または利用する一以上のプログラムは、アプリケーションプログラミングインタフェース（ＡＰＩ）、再利用可能コントロールなどを用いることもできる。  かかるプログラムは、高レベルの、手続き型又はオブジェクト指向プログラミング言語で実装され、コンピュータシステムと通信してもよい。しかし、プログラムは、必要ならアセンブラ又は機械語で実装してもよい。いかなる場合であっても、言語はコンパイルされ、またはインタープリットされた言語であり、ハードウェア（ｈａｒｄｗａｒｅ  ｉｍｐｌｅｍｅｎｔａｔｉｏｎｓ）と結合される。
【００５２】
言うまでもなく、この明細書で説明した多くの機能は、その実装の独立性を具体的に強調するため、モジュールというラベルを付した。例えば、モジュールは、カスタムＶＬＳＩ回路またはゲートアレイ、市販の半導体（論理回路、トランジスタ、その他のディスクリートコンポーネント）を含むハードウェア回路として実装できる。モジュールは、フィールドプログラマブルゲートアレイ、プログラマブルアレイロジック、プログラマブルロジックデバイスなどのプログラマブルハードウェアデバイスでも実装できる。
【００５３】
モジュールは、様々なタイプのプロセッサによる実行のため、ソフトウェアで実装することもできる。識別された実行コードのモジュールは、例えば、複数のコンピュータ命令の一以上の物理的または論理的ブロックを含む。これらは、例えば、オブジェクト、プロシージャ、または関数として構成されていてもよい。それにもかかわらず、識別されたモジュールの実行ファイルは、物理的に一緒に配置されている必要はなく、論理的に結合されれば、そのモジュールであり、そのモジュールの目的を達成する、異なる場所に記憶された異なる命令であってもよい。
【００５４】
実際、実行可能コードのモジュールは、単一命令であっても、多くの命令であってもよく、複数のメモリデバイスにわたる、異なるプログラム間の複数の異なるコードセグメントにわたり分散していてもよい。同様に、動作データ（ｏｐｅｒａｔｉｏｎａｌ  ｄａｔａ）は、ここにモジュール中に特定し例示したが、任意の好適な形式で化体され、任意の好適なタイプのデータ構造中に構成されてもよい。動作データは、単一のデータセットとして集められてもよいし、異なる記憶デバイスにわたる場合を含み、異なる場所にわたって分散していてもよいし、少なくとも部分的には、システムまたはネットワーク上の電子的信号としてのみ存在していてもよい。モジュールはパッシブでもアクティブでもよく、所望の機能を実行するように動作可能なエージェントを含んでいてもよい。
【００５５】
本明細書において「一実施形態」とは、その実施形態に関して説明する機能、構造、特徴が少なくとも本発明の１つの実施形態に含まれることを意味している。本明細書ではいろいろな箇所で「一実施形態では」と記載するが、必ずしもすべてが同じ実施形態を指すものではない。
【００５６】
ここで、複数のアイテム、構造要素、組成要素、及び／または材料は、便宜上、共通のリストで示した。しかし、これらのリストは、そのリストの各メンバーが別々の一意的なメンバーとして個別に特定されているものと解釈すべきである。このように、かかるリストのどの個別メンバーも、特に断らなければ、同じグループにあるというだけで、同じリストの他のどのメンバーの事実上の等価物であると解釈してはならない。また、本発明の様々な実施形態と実施例は、ここでは、その様々なコンポーネントの代替物により参照した。言うまでもなく、かかる実施形態、実施例、及び代替物は、互いに事実上の等価物であると解釈してはならず、本発明の別々の自立的な表現として解釈すべきである。
【００５７】
さらに、説明した機能、構造、または特徴は、１つ以上の実施形態において適宜組み合わせることができる。以下の説明では、材料の例、ファスナー、サイズ、長さ、幅、形状など多くの具体的な詳細を説明し、本発明の実施形態を完全に理解できるようにする。しかし、本技術分野の当業者には言うまでもないが、本発明は、一以上の具体的な詳細事項が無くても、他の方法、コンポーネント、材料などで実施できる。他の場合には、本発明の態様を分かりにくくしないよう、周知の構造、材料、動作は図示せず、または詳細に説明していない。
【００５８】
上記の例は、一以上の具体的なアプリケーションで本発明の原理を例示しているが、本技術分野の当業者には言うまでもなく、発明力の行使を要せずに、本発明の原理とコンセプトから逸脱することなく、形式、利用、及び実装の詳細を変更することができる。したがって、本発明は、下記の特許請求の範囲による以外は限定されない。
【図１】
2015527015.tif 000003
【図２Ａ】
2015527015.tif 000004
【図２Ｂ】
2015527015.tif 000005
【図３】
2015527015.tif 000006
【図４】
2015527015.tif 000007
【図５】
2015527015.tif 000008
【図６Ａ】
2015527015.tif 000009
【図６Ｂ】
2015527015.tif 000010
【図７】
2015527015.tif 000011
【図８】
2015527015.tif 000012
【図９】
2015527015.tif 000013
【図１０】
2015527015.tif 000014
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
ＰＰＩ（ｐｏｗｅｒ  ｐｒｅｆｅｒｅｎｃｅ  ｉｎｄｉｃａｔｉｏｎ）測定値を送信するように動作可能なユーザ装置（ＵＥ）であって、前記ＵＥはコンピュータ回路を有し、前記コンピュータ回路は、
ｅＮＢ（ｅｖｏｌｖｅｄ  ｎｏｄｅ  Ｂ）からＰＰＩ設定情報を受信する、前記ＰＰＩ設定情報は、低電力消費設定を示した後、確定された時間ウィンドウ中に前記ＵＥが前記ｅＮＢに通信できるＰＰＩメッセージの数に対する所定閾値を含み、
前記確定された時間ウィンドウ中に前記ｅＮＢに前記低消費電力設定を示した後、複数のＰＰＩメッセージを送信し、前記複数のＰＰＩメッセージは、それぞれ好ましい消費電力設定における変更を示し、
前記複数のＰＰＩメッセージが、前記ＰＰＩ設定情報で確定された前記確定時間ウィンドウ中に前記ＵＥが前記ｅＮＢに送信できるＰＰＩメッセージの数の前記所定閾値を超えたことを検知し、
前記複数のＰＰＩメッセージが前記所定閾値を超えたのに応じて、閾値タイマーを作動させ、前記閾値タイマーが満了するまで、追加的なＰＰＩメッセージが前記ｅＮＢに通信されるのを制限する、前記閾値タイマーはＴ３４０禁止タイマーである、
ユーザ装置。
【請求項２】
前記ＰＰＩ設定情報は、前記所定閾値と前記確定時間ウィンドウに関連する時間ウィンドウサイズを含み、前記時間ウィンドウサイズは前記所定閾値かける前記閾値タイマーの長さである、
請求項２に記載のコンピュータ回路。
【請求項３】
前記ＵＥにおいて、前記ｅＮＢからＲＲＣ（ｒａｄｉｏ  ｒｅｓｏｕｒｃｅ  ｃｏｎｔｒｏｌ）設定確立メッセージに含まれたＰＰＩ設定情報要素（ＩＥ）中の前記ＰＰＩ設定情報を受信するようにさらに構成されている、
請求項１に記載のコンピュータ回路。
【請求項４】
前記複数のＰＰＩメッセージが前記確定時間ウィンドウ中の前記所定閾値を超えないとき、追加的メッセージが前記ｅＮＢに送信されることを制限されないことを判断するようにさらに構成されている、
請求項１に記載のコンピュータ回路。
【請求項５】
前記ＵＥが遅延敏感アプリケーションの初期化を検出したのに応じて、前記ｅＮＢに、デフォルト消費電力設定を示す前記ＰＰＩメッセージを送信するようにさらに構成されている、
請求項１に記載のコンピュータ回路。
【請求項６】
前記閾値タイマーが満了した後に、前記閾値タイマーの満了が前記所定閾値を超えた後に前記複数のＰＰＩメッセージが送信された時、前記閾値タイマーを再初期化するようにさらに構成されている、
請求項１に記載のコンピュータ回路。
【請求項７】
デフォルト消費電力設定を示すＰＰＩメッセージを前記ｅＮＢに送信したのに応じて、前記閾値タイマーを初期化するようにさらに構成されている、
請求項１に記載のコンピュータ回路。
【請求項８】
ＰＰＩ（ｐｏｗｅｒ  ｐｒｅｆｅｒｅｎｃｅ  ｉｎｄｉｃａｔｉｏｎ）メッセージを通信する方法であって、
ノードからユーザ装置（ＵＥ）にＰＰＩ設定情報を送信するステップであって、ＰＰＩ設定情報は、ＵＥが低消費電力設定にある時に、確定時間ウィンドウ中にＵＥがノードに送信できるＰＰＩメッセージの数に対する所定閾値を含むステップと、
前記ＵＴから、低消費電力設定を示すＰＰＩメッセージの受信に続く確定時間ウィンドウ中に複数のＰＰＩメッセージを受信するステップであって、複数のＰＰＩメッセージは、それぞれ好ましい消費電力設定の変更を示すステップと、
ノードに送信された複数のＰＰＩメッセージが確定時間ウィンドウ中に所定閾値を超えたのをＵＥが検知したのに応じて、ＵＥにおける初期化された閾値タイマーの満了後に、ＵＥから追加的ＰＰＩメッセージを受信するステップとを有する方法。
【請求項９】
所定閾値と確定時間ウィンドウに関連する時間ウィンドウサイズを含み、時間ウィンドウサイズは所定閾値かける閾値タイマーの長さである前記ＰＰＩ設定情報を前記ＵＥに通信するステップをさらに有する、
請求項８に記載の方法。
【請求項１０】
前記ＵＥに、前記ノードからＲＲＣ（ｒａｄｉｏ  ｒｅｓｏｕｒｃｅ  ｃｏｎｔｒｏｌ）設定確立メッセージに含まれたＰＰＩ設定情報要素（ＩＥ）中のＰＰＩ設定情報を通信するステップをさらに有する、
請求項８に記載の方法。
【請求項１１】
Ｔ３４０禁止タイマーの満了後、前記ＵＥから前記追加的ＰＰＩメッセージを受信するステップをさらに有する、
請求項８に記載の方法。
【請求項１２】
ＵＥが遅延敏感アプリケーションの初期化を検知したのに応じて、ノードにおいて、デフォルト消費電力設定を示すＰＰＩメッセージを受信するステップを含む。
請求項８に記載の方法。
【請求項１３】
ＵＥから、好ましい消費電力設定を示す複数のＰＰＩメッセージを受信するステップであって、好ましい消費電力設定の変更は、デフォルト消費電力設定と低消費電力設定とのうち一方を示すステップをさらに有する、
請求項８に記載の方法。
【請求項１４】
ＰＰＩ（ｐｏｗｅｒ  ｐｒｅｆｅｒｅｎｃｅ  ｉｎｄｉｃａｔｉｏｎ）測定値を送信するように動作可能なユーザ装置（ＵＥ）であって、前記ＵＥはコンピュータ回路を有し、前記コンピュータ回路は、
ｅＮＢ（ｅｖｏｌｖｅｄ  ｎｏｄｅ  Ｂ）からＰＰＩ設定情報を受信するように構成され、ＰＰＩ設定情報は、ＵＥが低消費電力設定を示した後に確定された時間ウィンドウ中にｅＮＢに送信できるＰＰＩメッセージの数に対する所定閾値を含むＰＰＩ設定モジュールと、
前記確定された時間ウィンドウ中に前記ｅＮＢに前記低消費電力設定を送信した後、複数のＰＰＩメッセージを送信するように構成され、前記複数のＰＰＩメッセージは、それぞれ好ましい消費電力設定における変更を示す通信モジュールと、
前記複数のＰＰＩメッセージが、前記ＰＰＩ設定情報で確定された前記確定時間ウィンドウ中に前記ＵＥが前記ｅＮＢに送信できるＰＰＩメッセージの数の前記所定閾値を超えたことを検知するように構成された検知モジュールと、
前記複数のＰＰＩメッセージが前記所定閾値を超えたのに応じて、閾値タイマーを作動させ、前記閾値タイマーが満了するまで、追加的なＰＰＩメッセージが前記ｅＮＢに通信されるのを制限するように構成されたタイマーモジュールとを有する、コンピュータ回路。
【請求項１５】
前記ＰＰＩ設定モジュールは、前記ＵＥにおいて、前記ｅＮＢからＲＲＣ（ｒａｄｉｏ  ｒｅｓｏｕｒｃｅ  ｃｏｎｔｒｏｌ）設定確立メッセージに含まれたＰＰＩ設定情報要素（ＩＥ）中のＰＰＩ設定情報を受信するようにさらに構成されていてる、
請求項１４に記載のコンピュータ回路。
【請求項１６】
前記タイマーモジュールは、複数のＰＰＩメッセージが確定時間ウィンドウ中に所定閾値を超えないとき、追加的メッセージがｅＮＢに送信されることが制限されないことを判断するようにさらに構成されている、
請求項１４に記載のコンピュータ回路。
【請求項１７】
前記タイマーモジュールは、さらに、複数のＰＰＩメッセージが所定閾値を超えたのに応じて、Ｔ３４０禁止タイマーを初期化するようにさらに構成されている、
請求項１４に記載のコンピュータ回路。
【請求項１８】
前記通信モジュールは、ＵＥが遅延敏感アプリケーション（ｄｅｌａｙ  ｓｅｎｓｉｔｉｖｅ  ａｐｐｌｉｃａｔｉｏｎ）の初期化を検出したのに応じて、ｅＮＢに、デフォルト消費電力設定を示すＰＰＩメッセージを送信するようにさらに構成されている、
請求項１４に記載のコンピュータ回路。
【請求項１９】
前記タイマーモジュールは、さらに、閾値タイマーが満了した後に、閾値タイマーの満了が所定閾値を超えた後に複数のＰＰＩメッセージが送信された時、その閾値タイマーを再初期化するように構成されている、
請求項１４に記載のコンピュータ回路。
【請求項２０】
前記タイマーモジュールは、ＵＥがデフォルト消費電力設定を示すのに応じて、閾値タイマーを初期化するようにさらに構成されている、
請求項１４に記載のコンピュータ回路。
【国際調査報告】
2015527015.tif 000015
2015527015.tif 000016
2015527015.tif 000017